(57)【要約】【課題】製造コストが低く，抜け防止効果が高く，かつ，強度の高い義歯アタッチメント用キーパを提供すること。【解決手段】義歯に配設された磁石構造体を吸着させるための義歯アタッチメント用のキーパ１である。キーパ１は，板状のキーパ本体部１０と，キーパ本体部１０の裏面に立設したルート部２とよりなると共に，キーパ本体部１０とルート部２とは単一の軟磁性体素材から切削加工により一体的に形成されている。ルート部２は，小径部２１と小径部２１よりも外径が大きい大径部２２を連ねてなると共に小径部２１をキーパ本体部１０の裏面に接続してなる。大径部２２の外周面には，周方向に沿って設けられた複数の外周溝２２５が設けられている。【選択図】　図１
2004113509.tif 000002
【特許請求の範囲】
【請求項１】
義歯に配設された磁石構造体を吸着させるための義歯アタッチメント用のキーパにおいて，
該キーパは，板状のキーパ本体部と，該キーパ本体部の裏面に立設したルート部とよりなると共に，上記キーパ本体部と上記ルート部とは単一の軟磁性体素材から切削加工により一体的に形成されており，
上記ルート部は，小径部と該小径部よりも外径が大きい大径部を連ねてなると共に上記小径部を上記キーパ本体部の裏面に接続してなり，
上記大径部の外周面には，周方向に沿って設けられた複数の外周溝が設けられていることを特徴とする義歯アタッチメント用キーパ。
【請求項２】
請求項１において，上記ルート部の上記大径部に設けられた上記外周溝は，螺旋状に巻回されたねじ山を構成していることを特徴とする義歯アタッチメント用キーパ。
【請求項３】
請求項１又は２において，上記キーパ本体部の外周面には，周方向に沿って設けられた本体溝が形成されていることを特徴とする義歯アタッチメント用キーパ。
【請求項４】
請求項１〜３のいずれか１項において，上記キーパ本体部の外周面には，軸方向に平行な平面よりなる工具係合面を少なくとも２箇所以上設けてあることを特徴とする義歯アタッチメント。
【請求項５】
請求項１〜４のいずれか１項において，上記小径部の軸方向長さは，該小径部の外径の２倍以上であることを特徴とする義歯アタッチメント用キーパ。
【請求項６】
請求項１〜５のいずれか１項において，上記小径部の外径は，０．６〜１．２ｍｍであることを特徴とする義歯アタッチメント用キーパ。
【請求項７】
請求項１〜６のいずれか１項において，上記大径部の外径は，上記小径部の外径よりも０．２ｍｍ以上大きいことを特徴とする義歯アタッチメント用キーパ。
【請求項８】
請求項１〜請求項７のいずれか１項において，上記大径部は，先端に近づくほど外径が小さくなるテーパ部を有していることを特徴とする義歯アタッチメント用キーパ。
【発明の詳細な説明】
【０００１】
【技術分野】
本発明は，磁気吸引力を利用して義歯を固定するための義歯アタッチメントにおけるキーパに関する。
【０００２】
【従来技術】
歯科の分野においては，磁気吸引力を利用して義歯を固定するための義歯アタッチメントの開発が進められている。従来の義歯アタッチメント９は，図３に示すごとく，義歯８１に配設された磁石構造体９１と，該磁石構造体９１を吸着させるために根面板８２に配設されたキーパ９２とよりなる。キーパ９２は，軟磁性体により構成されており，上記磁石構造体９１との間において吸引力を発揮する。
【０００３】
このような構造の義歯アタッチメントは，キーパ９２を根面板８２に鋳接した状態で用いる必要がある。キーパ９２と根面板８２との鋳接工程は，高温での精密鋳造であるため，キーパ９２の品質を維持するための工夫が必要であるなど，コストアップの一因となり，さらに手間がかかるため治療期間も長くなる。
そのため，近年，改良されてきた歯科用合着材を用いて，キーパを歯根に直接配設する方法が適用されてきている。この場合のキーパ９２としては，図４に示すごとく，キーパ本体部９２１にルート部９２２を溶接により接合したものがある（特許文献１参照）。
【０００４】
【特許文献１】
特開２０００−１３７２６０号公報
【０００５】
【解決しようとする課題】
しかしながら，上記従来の義歯アタッチメント用のキーパ９２においては，次の問題がある。
即ち，上記従来のキーパ９２においては，上記のごとく溶接によりキーパ本体部９２１とルート部９２２とを接合している。そのため，手間のかかる溶接工程が必要となり，キーパのコストを下げることが困難である。また，上記の溶接構造は，特に強度上の問題はないものの，溶接特有の強度低下があるので強度的な余裕が比較的小さくなる場合がある。そのため，キーパ本体部とルート部との境界部の強度，ひいてはキーパ全体の強度をさらに高めることが望まれていた。
【０００６】
また，従来のキーパ９２は，図４に示すごとく，小径の曲げ可能部９２３を備えて，ルート部９２２の曲げ加工を可能とするという優れた構造を有している。さらに，曲げ加工部９２３とこれよりも大径のテーパ部９２４との間の段部によって，配設されたキーパ９２が抜け出ることを抑制している。
しかしながら，上記段部だけではキーパ９２の抜け防止効果が十分ではなく，さらに抜け防止効果が高い構造が望まれていた。
【０００７】
本発明はかかる従来の問題点に鑑みてなされたもので，製造コストが低く，抜け防止効果が高く，かつ，強度の高い義歯アタッチメント用キーパを提供しようとするものである。
【０００８】
【課題の解決手段】
本発明は，義歯に配設された磁石構造体を吸着させるための義歯アタッチメント用のキーパにおいて，
該キーパは，板状のキーパ本体部と，該キーパ本体部の裏面に立設したルート部とよりなると共に，上記キーパ本体部と上記ルート部とは単一の軟磁性体素材から切削加工により一体的に形成されており，
上記ルート部は，小径部と該小径部よりも外径が大きい大径部を連ねてなると共に上記小径部を上記キーパ本体部の裏面に接続してなり，
上記大径部の外周面には，周方向に沿って設けられた複数の外周溝が設けられていることを特徴とする義歯アタッチメント用キーパにある（請求項１）。
【０００９】
本発明のキーパは，上記のごとく，キーパ本体部とその裏面に立設したルート部とを，単一の軟磁性体素材から切削加工により一体的に形成してある。そのため，従来のようにルート部をキーパ本体部に溶接する工程を省略することができ，強度の向上と製造コストの低下を実現することができる。
【００１０】
また，上記ルート部は，上記小径部と上記大径部とよりなり，必然的にこれらの間に形成された段部を有している。さらに，上記大径部の外周面には，上記複数の外周溝が設けられている。そのため，本発明のキーパは，上記段部と上記複数の外周溝とが，歯根とキーパとの間に配設される接合用のレジン等の歯科用合着剤と強く噛み合い，高いアンカー効果を得ることができ，抜け防止効果を従来よりも高めることができる。
【００１１】
従って，本発明によれば，製造コストが低く，抜け防止効果が高く，かつ，強度の高い義歯アタッチメント用キーパを提供することができる。
【００１２】
【発明の実施の形態】
本発明においては，上記のごとく，上記ルート部が小径部と大径部とよりなる。そして，上記小径部は，その強度を適度に調整することによって，曲げ加工可能とすることができる。この場合には，ルート部とキーパ本体部との角度等を，任意な状態に容易に変更することができる。たとえば，歯根が斜めに傾いておりこれに設けた穴も斜めに傾いている場合などには，上記ルート部を上記小径部から曲げて穴の角度にあわせることが可能である。それ故，本発明のキーパは，種々の形状の歯根に対する適応性が非常に高い。
【００１３】
また，上記ルート部の上記大径部に設けられた上記外周溝は，螺旋状に巻回されたねじ山を構成していることが好ましい（請求項２）。即ち，上記大径部そのものが雄ねじ状に形成されていることが好ましい。この場合には，多数の外周溝が得られ，上述したアンカー効果をさらに高めることができる。一方，上記キーパを歯根から離脱させる必要がある場合に，キーパ全体を回動させることによってねじ山に沿って徐々に後退させることができる。そのため，万一，キーパを口腔内から排除させる必要がある場合に，キーパ全体を比較的容易に取り外すことが可能となる。
【００１４】
また，上記キーパ本体部の外周面には，周方向に沿って設けられた本体溝が形成されていることが好ましい（請求項３）。この場合には，上記キーパ本体部に設けた本体溝に，キーパと歯根との間に配設される歯科用合着剤が食い込み，この部位にもアンカー効果が生じる。これにより，キーパの抜け防止効果をいっそう高めることができる。
【００１５】
また，上記キーパ本体部の外周面には，軸方向に平行な平面よりなる工具係合面を少なくとも２箇所以上設けてあることが好ましい（請求項４）。この場合には，上記工具係合面に工具を係合させてキーパを取り扱うことにより，回動その他の動作を正確に行うことができる。
【００１６】
また，上記小径部の軸方向長さは，該小径部の外径の２倍以上であることが好ましい（請求項５）。これにより，上記小径部に曲げ加工を加えた際に，スムーズな曲げ状態を容易に得ることができる。一方，上記小径部の軸方向長さがその外径の２倍未満の場合には，小径部の両端部に応力が集中し，スムーズな曲げ状態が得られにくくなり，強度不足を生じるおそれがある。それ故，小径部の軸方向長さは，より好ましくは，小径部の外径の２．５倍以上，最も好ましくは３倍以上がよい。なお，上記小径部の長さの上限は，上記ルート部の適正長さから自ずと定まる。
【００１７】
また，上記小径部の外径は，０．６〜１．２ｍｍであることが好ましい（請求項６）。上記小径部の外径が０．６ｍｍ未満の場合には，強度が小さくなり過ぎ，キーパの耐久性が低下するおそれがある。一方，上記小径部の外径が１．２ｍｍを超える場合には，小径部における曲げ加工が困難となるという問題がある。
【００１８】
また，上記大径部の外径は，上記小径部の外径よりも０．２ｍｍ以上大きいことが好ましい（請求項７）。上記大径部の外径と小径部の外径差が０．２ｍｍ未満の場合には，両者の段部によるアンカー効果が十分に得られないという問題がある。なお，上記大径部の外径は，歯根に設ける穴の大きさによって規制され，通常は２ｍｍ以下となる。
【００１９】
また，上記大径部は，先端に近づくほど外径が小さくなるテーパ部を設けることもできる（請求項８）。この場合には，上記ルート部を歯根にも受けた穴に挿入する作業をよりスムーズに行うことができる。
【００２０】
【実施例】
本発明の実施例にかかる義歯アタッチメント用のキーパにつき，図１，図２を用いて説明する。
本例の義歯アタッチメント用のキーパ１は，前述した図８に示すごとく，義歯８１に配設された磁石構造体９１を吸着させるための義歯アタッチメント用のキーパである。
【００２１】
そして，本例のキーパ１は，板状のキーパ本体部１０と，該キーパ本体部１０の裏面に立設したルート部２とよりなると共に，上記キーパ本体部１０とルート部２とは単一の軟磁性体素材から切削加工により一体的に形成されている。
また，ルート部２は，小径部２１と小径部２１よりも外径が大きい大径部２２を連ねてなると共に小径部２１をキーパ本体部１０の裏面に接続してなる。また，大径部２２の外周面には，周方向に沿って設けられた複数の外周溝２２５が設けられている。
以下，これを詳説する。
【００２２】
まず，上記キーパ１の作製方法を簡単に説明すると，第１に，単一の軟磁性体素材である，Ｆｅ−１９Ｃｒ−２Ｍｏ−０．２Ｔｉ軟磁性ステンレス鋼に切削加工を施すことにより作製した。そして，この切削加工によって，図１に示すごとく，円盤状のキーパ本体部１０と，小径部２１及び大径部２２を有するルート部２を一体的に成形した。
【００２３】
また，本例では，同図に示すごとく，ルート部２の大径部２２に，螺旋状に巻回されたねじ山を構成する外周溝２２５を切削加工により形成した。
さらに，本例では，キーパ本体部１０の外周面に，周方向に沿って設けられた本体溝１５を切削加工により形成した。
【００２４】
また，キーパ１の具体的なサイズを示すと，キーパ本体部１０は，その外径Ｄ１がφ４．０ｍｍ，厚みＴ１が０．８ｍｍであり，本体溝１５の幅寸法Ｗ１が０．４ｍｍ，深さＢ１が０．２ｍｍである。また，小径部２１は，長さＬ１が２．０ｍｍ，外径Ｄ２がφ０．７５ｍｍであり，大径部２２は，長さＬ２が５．０ｍｍ，外径Ｄ３がφ１．４ｍｍである。
【００２５】
次に，このキーパ１の設置構造を図２を用いて簡単に説明する。
図２に示す構造は，歯根８２が略垂直な状態にあり，これに垂直な穴８２０を設けてキーパ１を配設した例である。この場合には，同図に示すごとく，ルート部２に曲げ加工を加えず，キーパ本体部１０とルート部２とが垂直な状態のまま用いる。そして，そのルート部２を歯根８２の穴８２０に挿入すると共に，ルート部２およびキーパ本体部１０の周囲を歯科用合着材３により固めて歯根８２に配設する。なお，歯根８２が斜めに傾いた状態にあり，これに斜めの穴８２０を設けた場合には，この穴８２０の傾きに応じてルート部２の小径部２１に曲げ加工を加えて，キーパ本体部１０に対してルート部２を斜めに傾けた状態に変形させて用いる（図示略）。これにより，歯根８２が斜めに傾いている状態にあっても，キーパ本体部１０を容易に水平な状態で配置することができる。
【００２６】
次に，本例の作用効果について説明する。
本例の義歯アタッチメント用のキーパ１は，キーパ本体部１０にルート部２を単一の軟磁性体素材から切削加工して一体的に形成してある。そのため，従来のようにルート部をキーパ本体部に溶接により接合する場合に比べて，製造コストを低減することができる。
【００２７】
また，本例のルート部２は，曲げ可能な小径部２１を設けてある。そのため，ルート部２のキーパ本体部１０に対する角度等を，任意な状態に容易に変更することができ，種々の形状の歯根に対する適応性が非常に高い。
【００２８】
また，上記ルート部２は，小径部２１と大径部２２と間に形成された段部２１５を有している。さらに，大径部２２の外周面には，複数の外周溝２５，即ち螺旋状のねじ山が設けられている。
また，キーパ本体部１０の外周面にも，上記のごとく本体溝１５を設けてある。
そのため，キーパ１は，段部２１５，複数の外周溝２５及び本体溝１５が，歯根８２とキーパ１との間に配設される歯科用合着剤と強く噛み合い，高いアンカー効果を発揮する。それ故，本例のキーパ１は，非常に優れた抜け防止効果を発揮する。
【００２９】
一方において，上記大径部２２の外周溝２５は，上記のごとく螺旋状に巻回したねじ山よりなる。そのため，万一，キーパ１を歯根８２から取り除く必要が生じた場合には，キーパ１全体を，ルート部２の軸心を中心に回動させることにより，ねじを緩める場合と同様に徐々にキーパ１を歯根から引き出すことができる。これにより，キーパ１の取り外し作業を比較的容易に行うことができる。
【図面の簡単な説明】
【図１】実施形態例１における，キーパの斜視図。
【図２】実施形態例１における，キーパの設置例を示す説明図。
【図３】従来例における，義歯アタッチメントの構成を示す説明図。
【図４】従来例における，キーパの斜視図。
【符号の説明】
１．．．義歯アタッチメント用のキーパ，
１０．．．キーパ本体部，
２．．．ルート部，
２１．．．小径部，
２２．．．大径部，
【図１】
2004113509.tif 000003
【図２】
2004113509.tif 000004
【図３】
2004113509.tif 000005
【図４】
2004113509.tif 000006